【手続補正書】
【提出日】平成17年12月13日(2005.12.13)
【手続補正１】
【補正対象書類名】特許請求の範囲
【補正対象項目名】全文
【補正方法】変更
【補正の内容】
【特許請求の範囲】
【請求項１】
衝突用クッションであって、
長手方向に延び、少なくとも一部が複数の凸状上反り部分によって構成された外面を有する側部と、
内面、外面、前縁部及び後縁部を有する少なくとも１つの逸らせ表面材と、
を有し、前記内面は、前記凸状上反り部分のうちの少なくとも１つに向いた凹状輪郭を有し、前記少なくとも１つの逸らせ表面材は、前記凸状上反り部分のうちの少なくとも１つと重なり合った関係をなして前記側部の前記外面に取り付けられ、前記後縁部は、前記長手方向において前記前縁部から遠くに間隔を置いて位置していることを特徴とする衝突用クッション。
【請求項２】
前記少なくとも１つの逸らせ表面材は、前記側部に取り付けられた複数の逸らせ表面材から成り、前記複数の逸らせ表面材の各々は、内面、外面、前縁部及び後縁部を有し、前記内面の各々は、前記凸状上反り部分の各々に向いた凹状の輪郭を有している請求項１記載の衝突用クッション。
【請求項３】
前記側部を構成する弾性自己復元性筒体のアレイを更に有し、前記筒体の各々は、実質的に垂直の長手方向軸線を有すると共に前記凸状上反り部分のうちの１つを構成する外面を有し、前記複数の前記筒体のそれぞれの前記外面は各々、前記筒体の各々の周囲をそれぞれ構成し、前記複数の逸らせ表面材は各々、前記筒体の各々の前記周囲の一部にのみ沿ってそれぞれ延びている請求項２記載の衝突用クッション。
【請求項４】
前記側部は、少なくとも一部が弾性ポリマー材料で作られている請求項１記載の衝突用クッション。
【請求項５】
前記側部は、少なくとも一部がポリエチレン材料で作られている請求項１記載の衝突用クッション。
【請求項６】
前記少なくとも１つの逸らせ表面材の前記内面は、前記側部の前記外面に接触している請求項１記載の衝突用クッション。
【請求項７】
前記少なくとも１つの逸らせ表面材は、少なくとも１つの第１の逸らせ表面材を有すると共に前記少なくとも１つの第１の逸らせ表面材の前記外面に取り付けられた少なくとも１つの第２の逸らせ表面材を更に有している請求項１記載の衝突用クッション。
【請求項８】
前記少なくとも１つの第２の逸らせ表面材は、実質的に平らである請求項７記載の衝突用クッション。
【請求項９】
前記少なくとも１つの第２の逸らせ表面材は、前縁部及び後縁部を有し、前記少なくとも１つの第２の逸らせ表面材の前記前縁部は、前記少なくとも１つの第１の逸らせ表面材に固定され、前記少なくとも１つの第２の逸らせ表面材の前記後縁部は、自由縁部である請求項７記載の衝突用クッション。
【請求項１０】
前記少なくとも１つの第２の逸らせ表面材は、前記少なくとも１つの第１の逸らせ表面材よりも大きな厚さを有している請求項７記載の衝突用クッション。
【請求項１１】
前記側部及び前記少なくとも１つの逸らせ表面材はそれぞれ、第１の側部及び少なくとも１つの第１の逸らせ表面材を有すると共に少なくとも１つの第２の逸らせ表面材及び少なくとも一部が複数の凸状上反り部分によって構成された外面を備える第２の側部を更に有し、前記第２の側部は、前記第１の側部から側方に間隔を置いて位置し、前記少なくとも１つの第２の逸らせ表面材は、内面、外面、前縁部及び後縁部を有し、前記少なくとも１つの第２の逸らせ表面材の前記内面は、前記第２の側部の前記凸状上反り部分のうちの少なくとも１つに向いた凹状の輪郭を有し、前記少なくとも１つの第２の逸らせ表面材は、前記第２の側部の前記凸状上反り部分のうちの少なくとも１つと重なり合った関係をなして前記第２の側部の前記外面に取り付けられ、前記少なくとも１つの第２の逸らせ表面材の前記後縁部は、その前記前縁部から前記長手方向に遠くに間隔を置いて位置している請求項１記載の衝突用クッション。
【請求項１２】
衝突用クッションであって、
長手方向に延び、少なくとも一部が複数の凸状上反り部分によって構成された外面を備える側部を有し、前記凸状上反り部分は各々、最も外側の垂直に向けられた接線を有し、
前記衝突用クッションは、前縁部及び後縁部を有する少なくとも１つの逸らせ表面材を更に有し、前記少なくとも１つの逸らせ表面材は、前記前縁部が前記最も外側の垂直に向けられた接線のうちの１つの前方に位置した状態で前記側部に連結され、前記少なくとも１つの逸らせ表面材は、前記凸状上反り部分とは異なる輪郭を有し、前記後縁部は、前記前縁部から前記長手方向に遠くに間隔を置いて位置していることを特徴とする衝突用クッション。
【請求項１３】
前記後縁部は、前記最も外側の垂直に向けられた接線のうちの前記１つの前方に位置決めされている請求項１２記載の衝突用クッション。
【請求項１４】
前記後縁部は、前記最も外側の垂直に向けられた接線のうちの前記１つの後方に位置決めされている請求項１２記載の衝突用クッション。
【請求項１５】
前記後縁部は、自由縁部である請求項１２記載の衝突用クッション。
【請求項１６】
前記少なくとも１つの逸らせ表面材は、実質的に平らである請求項１２記載の衝突用クッション。
【請求項１７】
前記少なくとも１つの逸らせ表面材は、少なくとも１つの第２の逸らせ表面材を有すると共に前記少なくとも１つの第２の逸らせ表面材と前記側部との間に設けられた少なくとも１つの第１の逸らせ表面材を更に有している請求項１２記載の衝突用クッション。
【請求項１８】
前記少なくとも１つの第１の逸らせ表面材は、前記最も外側の垂直に向けられた接線のうちの前記１つに向いた凹状の輪郭を有する内面を有している請求項１７記載の衝突用クッション。
【請求項１９】
前記少なくとも１つの第２の逸らせ表面材は、前記少なくとも１つの第１の逸らせ表面材よりも大きな厚さを有している請求項１７記載の衝突用クッション。
【請求項２０】
前記側部は、少なくとも一部がポリエチレン材料で作られている請求項１２記載の衝突用クッション。
【請求項２１】
前記側部及び前記少なくとも１つの逸らせ表面材は、第１の側部及び少なくとも１つの第１の逸らせ表面材を有すると共に少なくとも１つの第２の逸らせ表面材及び少なくとも一部が複数の凸状上反り部分によって構成された外面を備える第２の側部を更に有し、前記第２の側部の前記凸状上反り部分は各々、最も外側の垂直に向けられた接線を有し、前記第２の側部は、前記第１の側部から側方に間隔を置いて位置し、前記少なくとも１つの第２の逸らせ表面材は、内面、外面、前縁部及び後縁部を有し、前記少なくとも１つの第２の逸らせ表面材の前記前縁部は、前記第２の側部の前記最も外側の垂直に向けられた接線のうちの１つの前方に位置決めされ、前記少なくとも１つの第２の逸らせ表面材の前記後縁部は、前記第２の側部の前記最も外側の垂直に向けられた接線のうちの前記１つの後方に位置決めされ、前記少なくとも１つの第２の逸らせ表面材は、前記第２の側部の前記凸状上反り部分とは異なる輪郭を有している請求項１２記載の衝突用クッション。
【請求項２２】
前記少なくとも１つの逸らせ表面材は、各々が前縁部及び後縁部を備えた複数の逸らせ表面材を有し、前記複数の逸らせ表面材は、その前記前縁部が前記最も外側の垂直に向けられた接線のそれぞれの前方に位置決めされた状態で前記側部に連結されている請求項１２記載の衝突用クッション。
【請求項２３】
前記側部を構成する弾性自己復元性筒体のアレイを更に有し、前記筒体の各々は、前記凸状上反り部分のうちの１つをそれぞれ構成する外面を有している請求項２２記載の衝突用クッション。
【請求項２４】
衝突用クッションであって、
少なくとも一部が複数の凸状上反り部分により構成された外面を有する側部を有し、前記凸状上反り部分は各々、最も外側の垂直に向けられた接線を有し、
前記衝突用クッションは、各々が前縁部及び後縁部を有する複数の逸らせ表面材を更に有し、前記逸らせ表面材は、前記前縁部が前記最も外側の垂直に向けられた接線のそれぞれの前方に位置決めされた状態で前記側部に取り付けられ、前記複数の逸らせ表面材のうちの第１のものの前記後縁部は、前記複数の逸らせ表面材の前記第１のものの後方に位置決めされた前記複数の逸らせ表面材のうちの隣の第２のものの前記前縁部を越えて後方に延びていることを特徴とする衝突用クッション。
【請求項２５】
前記複数の逸らせ表面材は、複数の第２の逸らせ表面材を有すると共に前記複数の前記第２の逸らせ表面材と前記側部との間に設けられた複数の第１の逸らせ表面材を更に有している請求項２４記載の衝突用クッション。
【請求項２６】
前記側部を構成する弾性自己復元性筒体のアレイを更に有し、前記筒体の各々は、前記凸状上反り部分のうちの１つをそれぞれ構成する外面を有している請求項２４記載の衝突用クッション。
【請求項２７】
衝突用クッションであって、
少なくとも一部が複数の凸状上反り部分によって構成された外面を備える側部と、少なくとも一部が金属で作られていて、内面及び外面を備えた少なくとも１つの逸らせ表面材とを有し、前記内面は、前記凸状上反り部分のうちの少なくとも１つに向いた凹状の輪郭を有し、前記少なくとも１つの逸らせ表面材は、前記側部の前記外面に取り付けられていることを特徴とする衝突用クッション。